【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
傘骨組の別の要素に結合することなく、傘骨組の一つ親骨の端部に取り付けるための露先要素において、
前記露先要素は１対の翼状部材を備え、前記翼状部材は、前記傘骨組に取り付けられる傘布の周縁の一部を画定する外側周縁を有し、
一方の翼状部材が、前記傘親骨を中心に旋回または屈曲運動するように取り付けられていることを特徴とする露先要素。
【請求項２】
請求項１に記載の露先要素において、
前記一方の翼状部材が、円形親骨に取り付けて、前記親骨と前記もう一方の翼状部材に関して旋回運動するための穴を有することを特徴とする露先要素。
【請求項３】
請求項２に記載の露先要素において、
前記親骨に取り付けるための取付部を有し、前記もう一方の翼状部材が前記取付部に取り付けられることを特徴とする露先要素。
【請求項４】
請求項１に記載の露先要素において、
両方の翼状部材が、前記傘親骨を中心に旋回運動するように取り付けられることを特徴とする露先要素。
【請求項５】
請求項４に記載の露先要素において、
両方の翼状部材が、円形親骨に取り付けるための穴を有することを特徴とする露先要素。
【請求項６】
請求項５に記載の露先要素において、
前記一方の翼状部材が、整合する穴を含む第一と第二の離間された取付部を有し、前記もう一方の翼状部材が、前記第一と第二の取付部の間に適合させるための、穴との取付部を有することを特徴とする露先要素。
【請求項７】
請求項６に記載の露先要素において、
前記第一の取付部が盲穴を有することを特徴とする露先要素。
【請求項８】
請求項１に記載の露先要素において、
各翼状部材の前記外側周縁は湾曲していることを特徴とする露先要素。
【請求項９】
請求項８に記載の露先要素において、
前記外側周縁または各露先要素の曲率半径が、前記傘布の半径を示す前記傘親骨の長さに対応することを特徴とする露先要素。
【請求項１０】
請求項１に記載の露先要素において、
傘親骨に取り付けるための取付部を有し、
前記露先要素がプラスチック材料で一体的に成形され、前記一方の翼状部材が前記取付部に一体蝶番によって枢着されることを特徴とする露先要素。
【請求項１１】
請求項１０に記載の露先要素において、
前記１対の翼状部材の前記もう一方の翼状部材が前記取付部に一体蝶番によって枢着されることを特徴とする露先要素。
【請求項１２】
請求項１０に記載の露先要素において、
前記取付部が軸を有し、前記露先要素が前記軸に関して略対称であることを特徴とする露先要素。
【請求項１３】
傘骨組の別の要素に結合することなく、傘骨組の一つ親骨の端部に取り付けるための露先要素において、
前記露先要素はプラスチック材料で一体的に成形され、傘親骨に取り付けるための取付部と、前記取付部から延びる１対の翼状部材と、を備え、
前記翼状部材の少なくとも一方が、前記傘親骨を中心に旋回運動するように、前記取付部に一体蝶番で枢着されることを特徴とする露先要素。
【請求項１４】
請求項１３に記載の露先要素において、
前記翼状部材は、厚さにおいて、前記取付部から遠ざかるにつれてテーパが付けられており、前記取付部から離間された、前記翼状部材の少なくとも先端部分は十分に柔軟であり、前記翼状部材が傘中棒の周囲を少なくとも部分的に包み込むことができることを特徴とする露先要素。
【請求項１５】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、請求項１に記載の露先要素と、前記親骨に取り付けられる傘布と、を備えることを特徴とする傘。
【請求項１６】
請求項１５に記載の傘において、
前記傘布が、各親骨について、対応する前記露先要素を少なくとも部分的に包囲する延長部を含むことを特徴とする傘。
【請求項１７】
請求項１６に記載の傘において、
前記延長部が前記傘布に、個別の位置で連結されることを特徴とする傘。
【請求項１８】
請求項１５に記載の傘において、
前記傘布が、前記傘骨組の前記親骨に対応する線に沿って相互に取り付けられる複数の傘布片を含み、
各延長部は、２つの隣接する傘布片の２つの延長片を含むことを特徴とする傘。
【請求項１９】
請求項１８に記載の傘において、
前記２つの隣接する傘布片の前記２つの延長片が相互に取り付けられて、露先要素を包囲するためのポケットを形成することを特徴とする傘。
【請求項２０】
請求項１８に記載の傘において、
前記２つの延長片が、それぞれの前記傘布片に取り付けられ、相互に分離され、各延長片が、対応する露先要素の一方の翼状部材を包囲することを特徴とする傘。
【請求項２１】
請求項１５に記載の傘において、
前記傘布が、前記傘骨組の前記親骨に対応する線に沿って相互に取り付けられる複数の傘布片を含み、
各延長部は、それぞれの前記傘布片に取り付けらけれる単独の延長片を含むことを特徴とする傘。
【請求項２２】
傘骨組の親骨に取り付けるための露先要素において、前記露先要素は、前記傘親骨に取り付けるための取付部と、前記取付部から延びる１対の翼状部材と、を有し、前記翼状部材は前記傘骨組に取り付けられる傘布の周縁の一部を画定する外側周縁を有し、
一方の翼状部材が、蝶番ピンを有する蝶番によって、前記取付部に関して旋回運動するように取り付けられることを特徴とする露先要素。
【請求項２３】
請求項２２に記載の露先要素において、
前記取付部は、傘親骨の周囲で旋回運動するようになされていることを特徴とする露先要素。
【請求項２４】
請求項２２に記載の露先において、
前記もう一方の翼状部材が、蝶番ピンを含む蝶番の周囲で、前記取付部に関して旋回運動するように取り付けられることを特徴とする露先。
【請求項２５】
請求項２２、２３または２４の何れか１項に記載の露先において、
前記翼状部材が、前記翼状部材が概して同一平面内にある伸ばした位置と、前記翼状部材が相互に接触する折り畳んだ位置との間で移動できることを特徴とする露先。
【請求項２６】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、取付部と１対の翼状部材を備える露先要素であって、前記翼状部材が十分に柔軟であり、前記傘が閉じた状態にあるときに前記翼状部材が前記中棒を包み込むことができるような露先要素と、前記親骨に取り付けられる傘布と、を備えることを特徴とする傘。
【請求項２７】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、取付部と１対の翼状部材を備える露先要素であって、前記翼状部材が、前記傘が閉じた状態にあるときに前記中棒を包み込むようになされているような露先要素と、前記親骨に取り付けられる傘布と、を備える傘において、
前記傘布と前記露先要素が、相互に溶接できるような材料を含み、前記傘布が前記露先要素に溶接されて、前記傘布を前記露先要素に固定することを特徴とする傘。
【請求項２８】
請求項２７に記載の傘において、
前記露先要素と前記傘布は、プラスチック材料で作られることを特徴とする傘。
【請求項２９】
請求項２８に記載の傘において、
前記傘布は、少なくとも部分的に透明である材料で作られ、それによって前記露先要素が前記傘布を通じて見えることを特徴とする傘。
【請求項３０】
請求項２９に記載の傘において、
前記露先要素に、視覚的に魅力的な形状が与えられることを特徴とする傘。
【請求項３１】
請求項３０に記載の傘において、
前記露先要素が、概して半円形、円形およびハート形のうちの１つの形状を有することを特徴とする傘。
【請求項３２】
請求項３０に記載の傘において、
前記露先要素が、自然界で見られる特徴を模倣した形状を有することを特徴とする傘。
【請求項３３】
請求項３２に記載の傘において、
前記露先要素が、蝶、テントウムシおよびクローバの葉のうちの１つの形状を有することを特徴とする傘。
【請求項３４】
請求項２７乃至３３の何れか１項に記載の傘において、
前記傘布が前記露先要素の前記露先要素周縁付近に溶接されていることを特徴とする傘。